(57)【要約】【課題】スライドの摺動抵抗を調節可能なフェーダ装置を提供することにある。【解決手段】スライド３は、ガイドバー９が貫通する貫通孔３ｄを形成する貫通孔形成部１５を有する。貫通孔形成部１５は、貫通孔３ｄを区画する内周面１５ａを有する。内周面１５ａには、ガイドバー９の軸方向にスリット１７が入れられている。貫通孔形成部１５を弾性変形させてスリット１７の幅を調節することにより、ガイドバー９に対する貫通孔形成部１５の摺動抵抗を調節可能なスリット幅調節機構１９を備える。【選択図】図４
2012230971.tif 000002
【特許請求の範囲】
【請求項１】
入力信号に対する出力信号のレベルを調節するためのフェーダ装置であって、
人に操作されることによりガイドバーに沿って摺動可能なスライドと、
スライドの摺動位置に応じて調節された前記レベルで前記出力信号を出力する出力部と、を備え、
スライドは、ガイドバーが貫通する貫通孔を形成する貫通孔形成部を有し、
貫通孔形成部は、貫通孔を区画する内周面を有し、該内周面には、ガイドバーの軸方向にスリットが入れられており、
さらに、貫通孔形成部を弾性変形させて前記スリットの幅を調節することにより、ガイドバーに対する貫通孔形成部の摺動抵抗を調節可能なスリット幅調節機構を備える、ことを特徴とするフェーダ装置。
【請求項２】
スリット幅調節機構は、前記スライドに形成されたネジ孔と、該ネジ孔に螺合するネジとにより構成され、
前記ネジ孔に螺合した状態の前記ネジは、ネジ孔内にてネジ孔に螺合するネジ部と、ネジ孔の外部に位置する頭部と、を有し、
前記頭部は、前記ネジの軸近傍に位置する軸側部分と、前記ネジの軸から離れた外側部分とを有し、
前記ネジ部が前記ネジ孔に螺合した状態で、前記軸側部分と前記外側部分のうち前記外側部分のみが、スライドに接触してスライドを押圧することにより、スリットの幅を小さくするようにスライドが弾性変形し、
この弾性変形量が、前記ネジの進み量に応じて変化することにより、前記スリットの幅が調節可能である、ことを特徴とする請求項１に記載のフェーダ装置。
【請求項３】
ガイドバーを内部に収容して、ガイドバーを支持するケースを備え、
ケースの外面には、ドライバ挿入孔が形成されており、
前記ネジを回すドライバが、ドライバ挿入孔を通してケースの内部に挿入された状態で、当該ドライバにより、前記ネジ孔に螺合した前記ネジを回せるようになっている、ことを特徴とする請求項２に記載のフェーダ装置。
【請求項４】
ケースの外面には、ガイドバーの軸方向に延びる長孔が形成されており、
スライドは、
貫通孔形成部を有するとともにケースの内部に位置する本体と、ケースの外部に位置して人に操作される操作部と、前記本体から前記長孔を通ってケースの外部まで延びて前記本体と前記操作部とを結合させる結合部と、を有し、
前記長孔がドライバ挿入孔である、ことを特徴とする請求項３に記載のフェーダ装置。
【発明の詳細な説明】
【技術分野】
【０００１】
本発明は、入力信号に対する出力信号の信号レベルを調節するためのフェーダ装置に関する。
【背景技術】
【０００２】
フェーダ装置は、人が手動でスライドを直線的に移動させることにより、音量、光量等を変化させるものである。例えば、放送、レコーディングやディスクジョッキー等において複数チャンネルのオリジナル音をミキシングする際の音量調整や、劇場などでの照明の光量調整を行うために、フェーダ装置が用いられている。フェーダ装置は、例えば下記の特許文献１、２に記載されている。
【０００３】
フェーダ装置において、人が手動でスライドを直線的に移動させることにより、入力信号に対する出力信号の信号レベルを調節するための構成を説明する。
【０００４】
図１は、下記の特許文献１に記載されたフェーダ装置の構成図である。図１に示すように、フェーダ装置では、スライド３１の操作部３１ａを人が操作することにより、スライド３１がガイドバー３３に沿って直線的に往復動する。ケース３５には、電極体３７と抵抗体３９が互いに平行に取り付けられている。電極体３７と抵抗体３９の両方に接触することにより両者を電気的に接続する伝導性ブラシ４１（図２、３を参照）がスライド３１に固定されている。スライド３１の伝導性ブラシ４１が電極体３７と抵抗体３９に接触しながら、スライド３１はガイドバー３３に沿って摺動することができる。
【０００５】
図２は、入力信号に対する出力信号の信号レベルを調節するための構成図である。図２に示すように、制御したい入力信号（電圧）を入力端子に入力し、スライド３１（即ち、伝導性ブラシ４１）を摺動させることにより、入力信号に対する出力信号のレベルを調節する。このように調節された出力信号が、出力部（電極体３７）から出力される。
【０００６】
図３は、入力信号に対する出力信号の信号レベルを調節するための別の構成図である。図３では、抵抗体３９の両端に基準電圧Ｖ０をかけ、スライド３１（即ち、伝導性ブラシ４１）を摺動させることにより変化する電圧Ｖ１を電極体３７からＶＣＡ（Ｖｏｌｔａｇｅ Ｃｏｎｔｒｏｌｌｅｄ Ａｍｐｌｉｆｉｅｒ、または、Ｖｏｌｔａｇｅ Ｃｏｎｔｒｏｌｌｅｄ  Ａｔｔｅｎｕａｔｏｒ）に入力させる。ＶＣＡには、制御したい入力信号（電圧）も入力される。ＶＣＡデバイスは、電圧Ｖ１の変化により、入力信号に対する出力信号のレベルを変化させる。
【先行技術文献】
【特許文献】
【０００７】
【特許文献１】特開平９−１７１９１０号公報
【特許文献２】実用新案登録第３１０２１８８号
【発明の概要】
【発明が解決しようとする課題】
【０００８】
人が、スライドを摺動操作する時に感じる摺動抵抗は、スライドとガイドバーとの間に供給するグリスの種類や量により変化する。また、グリスが乾いたら、グリスを再び塗る必要がある。
【０００９】
そのため、グリス以外の新たな手段により、人が、スライドを摺動操作する時に感じる摺動抵抗を調節できるようにすることが望まれる。
また、フェーダ装置（例えば、上述のケース３５）を、人がスライドを操作するための操作卓に取り付けた状態で、摺動抵抗を調節可能にすることが望まれる。
【００１０】
そこで、本発明の第１の目的は、新たな手段により、スライドの摺動抵抗を調節可能なフェーダ装置を提供することにある。
本発明の第２の目的は、フェーダ装置を操作卓に取り付けた状態で、摺動抵抗を調節可能なフェーダ装置を提供することにある。
【課題を解決するための手段】
【００１１】
上記第１の目的を達成するため、本発明によると、入力信号に対する出力信号のレベルを調節するためのフェーダ装置であって、
人に操作されることによりガイドバーに沿って摺動可能なスライドと、
スライドの摺動位置に応じて調節された前記レベルで前記出力信号を出力する出力部と、を備え、
スライドは、ガイドバーが貫通する貫通孔を形成する貫通孔形成部を有し、
貫通孔形成部は、貫通孔を区画する内周面を有し、該内周面には、ガイドバーの軸方向にスリットが入れられており、
さらに、貫通孔形成部を弾性変形させて前記スリットの幅を調節することにより、ガイドバーに対する貫通孔形成部の摺動抵抗を調節可能なスリット幅調節機構を備える、ことを特徴とするフェーダ装置が提供される。
【００１２】
このように、スリットを利用した新たな手段で、貫通孔形成部の摺動抵抗を調節することができる。
【００１３】
本発明の好ましい実施形態によると、スリット幅調節機構は、前記スライドに形成されたネジ孔と、該ネジ孔に螺合するネジとにより構成され、
前記ネジ孔に螺合した状態の前記ネジは、ネジ孔内にてネジ孔に螺合するネジ部と、ネジ孔の外部に位置する頭部と、を有し、
前記頭部は、前記ネジの軸近傍に位置する軸側部分と、前記ネジの軸から離れた外側部分とを有し、
前記ネジ部が前記ネジ孔に螺合した状態で、前記軸側部分と前記外側部分のうち前記外側部分のみが、スライドに接触してスライドを押圧することにより、スリットの幅を小さくするようにスライドが弾性変形し、
この弾性変形量が、前記ネジの進み量に応じて変化することにより、前記スリットの幅が調節可能である。
【００１４】
このように、スリット幅調節機構をネジ孔とネジにより構成するので、低コストでスリット幅調節機構を実現できる。
【００１５】
上記第２の目的を達成するため、本発明の好ましい実施形態によると、フェーダ装置は、ガイドバーを内部に収容して、ガイドバーを支持するケースを備え、
ケースの外面には、ドライバ挿入孔が形成されており、
前記ネジを回すドライバが、ドライバ挿入孔を通してケースの内部に挿入された状態で、当該ドライバにより、前記ネジ孔に螺合した前記ネジを回せるようになっている。
【００１６】
この構成により、ケースが操作卓に取り付けられた状態で、ドライバ挿入孔を外部に露出させておき、ドライバを、ドライバ挿入孔を通してケース内に挿入して、ドライバにより前記ネジを回すことが可能になる。従って、フェーダ装置を操作卓に取り付けた状態で、スリットの幅を調節することによりスライドの摺動抵抗を調節することができる。
【００１７】
本発明の好ましい実施形態によると、ケースの外面には、ガイドバーの軸方向に延びる長孔が形成されており、
スライドは、
貫通孔形成部を有するとともにケースの内部に位置する本体と、ケースの外部に位置して人に操作される操作部と、前記本体から前記長孔を通ってケースの外部まで延びて前記本体と前記操作部とを結合させる結合部と、を有し、
前記長孔がドライバ挿入孔である。
【００１８】
このように、ケースの長孔をドライバ挿入孔として利用することができる。
【発明の効果】
【００１９】
上述した本発明によると、スライドは、ガイドバーが貫通する貫通孔を形成する貫通孔形成部を有し、貫通孔形成部は、貫通孔を区画する内周面を有し、該内周面には、ガイドバーの軸方向にスリットが入れられており、さらに、貫通孔形成部を弾性変形させて前記スリットの幅を調節することにより、前記ガイドバーに対する貫通孔形成部の摺動抵抗を調節可能なスリット幅調節機構を設けたので、スリット幅の調節によりスライドの摺動抵抗を調節できる。
【図面の簡単な説明】
【００２０】
【図１】特許文献１に記載されたフェーダ装置の構成図である。
【図２】入力信号に対する出力信号の信号レベルを調節するための構成図である。
【図３】入力信号に対する出力信号の信号レベルを調節するための別の構成図である。
【図４】本発明の第１実施形態によるフェーダ装置の構成図である。
【図５】第１実施形態のスリット幅調節機構を示す。
【図６】第１実施形態のスリット幅調節機構によるスリット幅の変化を示す。
【図７】ドライバ挿入孔からドライバを挿入させた状態を示す。
【図８】本発明の第２実施形態によるフェーダ装置の構成図である。
【図９】第２実施形態のスリット幅調節機構を示す。
【図１０】第２実施形態のスリット幅調節機構によるスリット幅の変化を示す。
【発明を実施するための形態】
【００２１】
本発明の好ましい実施形態を図面に基づいて説明する。なお、各図において共通する部分には同一の符号を付し、重複した説明を省略する。
【００２２】
[第１実施形態]
図４は、本発明の第１実施形態によるフェーダ装置１０の構成図である。図４において、（Ａ）は、平面図であり、（Ｂ）は、（Ａ）のＢ−Ｂ線断面図であり、（Ｃ）は、（Ｂ）のＣ−Ｃ線断面図であり、（Ｄ）は、（Ｃ）のＤ−Ｄ線矢視図である。
【００２３】
本発明の実施形態によるフェーダ装置１０は、入力信号に対する出力信号のレベルを調節するためのものであり、図４に示すように、スライド３とケース５と出力部７を備える。なお、図４（Ｄ）では、ケース５の図示を省略している。
【００２４】
スライド３は、人に操作されることによりガイドバー９に沿って摺動可能である。スライド３は、ケース５の内部に位置する本体３ａと、ケース５の外部に位置して人に操作される操作部３ｂと、本体３ａからケース５の長孔５ａを通ってケース５の外部まで延びて本体３ａと操作部３ｂとを結合させる結合部３ｃと、を有する。
【００２５】
ケース５は、ガイドバー９を内部に収容して、ガイドバー９を支持する。図４の例では、２つのガイドバー９が、互いに平行に配置されるとともに、ケース５に両端が固定支持されている。これらの２つのガイドバー９が、それぞれスライド３の貫通孔３ｄを貫通するようになっている。これにより、スライド３が、ガイドバー９に支持されながら摺動可能となっている。この例では、各ガイドバー９は、当該ガイドバー９の軸方向（以下、単に軸方向ともいう）と垂直な断面形状が円形である。ケース５の外面には、ガイドバー９の軸方向に延びる上述の長孔５ａが形成されている。
【００２６】
出力部７は、スライド３の摺動位置に応じて調節された前記レベルで前記出力信号を出力する。なお、入力信号に対する出力信号の前記レベルは、入力信号に対する出力信号の減衰量、増幅量、減衰率または増幅率であってよい。レベル調節のための構成は、図２の場合と同様であってよい。即ち、ケース５に、出力部７としての電極体と、抵抗体１１とが、ガイドバー９の軸方向に延びて互いに平行に取り付けられ、スライド３に、電極体７と抵抗体１１の両方に接触することにより両者を電気的に接続する伝導性ブラシ１３を固定する。スライド３の伝導性ブラシ１３が電極体７と抵抗体１１に接触しながら、スライド３がガイドバー９に沿って摺動することができる。従って、図２の原理により、スライド３の摺動位置に応じて入力信号に対する出力信号のレベルが調節される。なお、図２の代わりに、図３の原理を用いてもよく、この場合には、出力部７は、ＶＣＡ（Ｖｏｌｔａｇｅ  Ｃｏｎｔｒｏｌｌｅｄ  Ａｍｐｌｉｆｉｅｒ、または、Ｖｏｌｔａｇｅ  Ｃｏｎｔｒｏｌｌｅｄ  Ａｔｔｅｎｕａｔｏｒ）となる。電極体７と抵抗体１１は、それぞれ、図１〜図３の電極体３７と抵抗体３９に相当する。
【００２７】
スライド３の本体３ａは、ガイドバー９が貫通する貫通孔３ｄを形成する貫通孔形成部１５を有する。貫通孔形成部１５は、貫通孔３ｄを区画するとともにガイドバー９に接触する内周面１５ａを有する。また、貫通孔形成部１５は、内周面１５ａと反対側に位置してケース５内部に露出する外面１５ｂを有する。なお、図４の例では、スライド３の本体３ａは、平板状の補強部１６を有する。１つのガイドレール９に対して、少なくとも１つの貫通孔形成部１５が設けられていればよいが、図４の例では、貫通孔形成部１５は、一方のガイドレール９に対して、１つの貫通孔形成部１５が設けられ、他方のガイドレール９に対しては、２つの貫通孔形成部１５が軸方向に間隔をおいて設けられている。
【００２８】
少なくともいずれかの貫通孔形成部１５の内周面１５ａには、ガイドバー９の軸方向にスリット１７が入れられている。スリット１７は、内周面１５ａに開口するとともにガイドバー９の軸方向に延びる溝である。スリット１７は、図４の例では、深さ方向に、貫通孔形成部１５の内周面１５ａから外面１５ｂまで延びている。ただし、スリット１７は、深さ方向に、貫通孔形成部１５の外面１５ｂにまで至らずに、貫通孔形成部１５の内周面１５ａから途中まで延びていてもよい。
【００２９】
スライド３の本体３ａは、弾性変形する材料（例えば、樹脂や金属）で形成されている。図４の例では、各貫通孔形成部１５と補強部１６を含めた本体３ａ全体が弾性変形する材料で形成されている。
好ましくは、本体３ａは、弾性変形するフッ素樹脂で形成されているのがよい。この場合、ガイドレール９に対する貫通孔形成部１５（内周面１５ａ）の摺動抵抗を小さくすることができ、本体３ａをメンテナンスフリーにすることができる。
【００３０】
図５（Ａ）は、図４（Ｄ）の部分拡大図である。図５（Ｂ）は、図５（Ａ）のＢ−Ｂ矢視図である。図５（Ｃ）は、図５（Ａ）において、後述のネジ１９ｂを外した状態を示す。図５（Ｄ）は、図５（Ｃ）のＤ−Ｄ矢視図である。
【００３１】
フェーダ装置１０は、さらに、貫通孔形成部１５を弾性変形させてスリット１７の幅を調節することにより、ガイドバー９に対する貫通孔形成部１５の摺動抵抗を調節可能なスリット幅調節機構１９を備える。スリット１７の幅とは、ガイドバー９の軸を回る周方向における幅である。スリット１７の幅を減らすと、ガイドバー９に対する貫通孔形成部１５の摺動抵抗（動摩擦）が大きくなる。スリット１７の幅を減らすと、貫通孔形成部１５の内周面１５ａとガイドバー９との接触度合が大きくなるからである。スリット１７の幅を増やすと、ガイドバー９に対する貫通孔形成部１５の摺動抵抗が小さくなる。スリット１７の幅を増やすと、貫通孔形成部１５の内周面１５ａとガイドバー９との接触度合が小さくなるからである。
【００３２】
スリット幅調節機構１９は、スライド３に形成されたネジ孔１９ａと、該ネジ孔１９ａに螺合するネジ１９ｂとにより構成される。ネジ孔１９ａに螺合した状態のネジ１９ｂは、ネジ孔１９ａ内にてネジ孔１９ａに螺合するネジ部２１と、ネジ孔１９ａの外部に位置する頭部２３と、を有する。頭部２３は、ネジ１９ｂの軸近傍に位置する軸側部分２３ａと、ネジ１９ｂの軸から離れた外側部分２３ｂとを有する。なお、図５（Ａ）において、軸側部分２３ａは、符号２３ａで示す破線で囲まれた部分であり、外側部分２３ｂは、符号２３ｂで示す破線で囲まれた部分である。
【００３３】
このような構成のスリット幅調節機構１９により、次のように、スリット１７の幅が調節される。図５（Ａ）のように、ネジ部２１がネジ孔１９ａに螺合した状態で、軸側部分２３ａと外側部分２３ｂのうち外側部分２３ｂのみが、スライド３の本体３ａに接触しているので、外側部分２３ｂがスライド３の本体３ａ（例えば、貫通孔形成部１５）を押圧することになる。これにより、外側部分２３ｂが、スリット１７の幅を小さくするようにスライド３の本体３ａ（即ち、貫通孔形成部１５）が弾性変形することが可能となる。すなわち、外側部分２３ｂが本体３ａを押圧する力は、スリット１７の幅を小さくする方向に本体３ａを弾性変形させる力の成分を有する。なお、外側部分２３ｂは、貫通孔形成部１５以外の本体３ａ部分を押圧することにより、貫通孔形成部１５を上述のように弾性変形させてもよい。
【００３４】
この弾性変形量を図６に基づいて説明する。図６（Ａ）は、図５（Ａ）において、ネジ１９ｂを進ませた状態を示す。図６（Ｂ）は、図６（Ａ）のＢ−Ｂ矢視図である。図６（Ｃ）は、図６（Ａ）において、ネジ１９ｂを後退させた状態を示す。図６（Ｄ）は、図６（Ｃ）のＤ−Ｄ矢視図である。
【００３５】
上述の弾性変形量が、ネジ１９ｂの進み量に応じて変化することにより、スリット１７の幅が調節可能である。図６（Ａ）（Ｂ）のように、ネジ１９ｂの進み量が増えると、外側部分２３ｂによりスライド３を押圧する力が増大し、貫通孔形成部１５の弾性変形量が増加してスリット１７の幅が減少する。一方、図６（Ｃ）（Ｄ）のように、図６（Ａ）（Ｂ）の状態よりもネジ１９ｂの進み量が減ると、外側部分２３ｂによりスライド３を押圧する力が減少し、図６（Ａ）（Ｂ）の状態よりも、貫通孔形成部１５の弾性変形量が減少してスリット１７の幅が増加する。
【００３６】
ケース５の外面には、ドライバ挿入孔が形成されている。ドライバ挿入孔は、本実施形態では、上述したケース５の長孔５ａである。図７のように、ネジ１９ｂを回すドライバ２５が、ドライバ挿入孔５ａを通してケース５の内部に挿入された状態で、当該ドライバ２５により、ネジ孔１９ａに螺合したネジ１９ｂを回せるようになっている。すなわち、ネジ１９ｂの頭部２３におけるプラス溝またはマイナス溝に係合させたドライバ２５を回すことにより、ネジ１９ｂを回せるようになっている。なお、図７（Ａ）は、図４（Ｃ）において、ドライバ２５をドライバ挿入孔５ａからケース５内に挿入した状態を示す。図７（Ｂ）は、図７（Ａ）のＢ−Ｂ矢視図である。図７（Ｂ）において、ドライバ挿入孔５ａは、一点鎖線で区画されており、ケース５の図示を省略している。
【００３７】
好ましくは、図７（Ｂ）のように、ケース５の外部から、ドライバ挿入孔５ａの開口方向に、ネジ１９ｂの頭部２３が見えるようにするのがよい。すなわち、ドライバ挿入孔５ａがケース５の外面に開口している開口方向（即ち、図７（Ａ）における上下方向）に、ネジ孔１９ａに螺合したネジ１９ｂの頭部２３の少なくとも一部が、ドライバ挿入孔５ａに重なるようにするのがよい。
【００３８】
上述の第１実施形態によると、以下の効果（１）〜（３）が得られる。
【００３９】
（１）スリット幅調節機構１９により、貫通孔形成部１５を弾性変形させてスリット１７幅を調節して、スライド３の摺動抵抗を調節できる。従って、スライド３とガイドバー９との間にグリスを供給しなくてもよい。
【００４０】
（２）ケース５が操作卓（図示せず）に取り付けられた状態で、上述のドライバ挿入孔を外部に露出させておき、ドライバ２５を、ドライバ挿入孔を通してケース５内に挿入して、ドライバ２５によりネジ１９ｂを回すことができる。従って、フェーダ装置１０を操作卓に取り付けた状態で、スリット１７の幅を調節することによりスライド３の摺動抵抗を調節することができる。
【００４１】
（３）スリット幅調節機構１９を、ネジ孔１９ａとネジ１９ｂにより構成するので、低コストで、スリット幅調節機構１９を実現できる。
【００４２】
[第２実施形態]
図８は、図４（Ｂ）のＣ−Ｃ矢視図であるが、フェーダ装置１０の第２実施形態の場合を示す。
【００４３】
図９（Ａ）は、図８の部分拡大図である。図９（Ｂ）は、図９（Ａ）において、ネジ１９ｂを外した状態を示す。
【００４４】
第２実施形態でも、第１実施形態と同様に、スリット幅調節機構１９は、スライド３に形成されたネジ孔１９ａと、該ネジ孔１９ａに螺合するネジ１９ｂとにより構成される。ネジ孔１９ａに螺合した状態のネジ１９ｂは、ネジ孔１９ａ内にてネジ孔１９ａに螺合するネジ部２１と、ネジ孔１９ａの外部に位置する頭部２３と、を有する。頭部２３は、ネジ１９ｂの軸近傍に位置する軸側部分２３ａと、ネジ１９ｂの軸から離れた外側部分２３ｂとを有する。なお、図９（Ａ）において、軸側部分２３ａは、符号２３ａで示す破線で囲まれた部分であり、外側部分２３ｂは、符号２３ｂで示す破線で囲まれた部分である。
【００４５】
このような構成のスリット幅調節機構１９により、次のように、スリット１７の幅が調節される。図９（Ａ）のように、ネジ部２１がネジ孔１９ａに螺合した状態で、軸側部分２３ａと外側部分２３ｂのうち外側部分２３ｂのみが、スライド３の本体３ａに接触しているので、外側部分２３ｂがスライド３を押圧することになる。これにより、外側部分２３ｂが、スリット１７の幅を小さくするようにスライド３の本体３ａ（即ち、貫通孔形成部１５）が弾性変形することが可能になる。すなわち、外側部分２３ｂが本体３ａを押圧する力は、スリット１７の幅を小さくする方向に本体３ａを弾性変形させる力の成分を有する。
【００４６】
この弾性変形量を図１０に基づいて説明する。図１０（Ａ）は、図９（Ａ）の状態からネジ１９ｂを進ませた状態を示す。図１０（Ｂ）は、図１０（Ａ）において、ネジ１９ｂを後退させた状態を示す。
【００４７】
上述の弾性変形量が、ネジ１９ｂの進み量に応じて変化することにより、スリット１７の幅が調節可能である。図１０（Ａ）のように、ネジ１９ｂの進み量が増えると、外側部分２３ｂによりスライド３を押圧する力が増大し、貫通孔形成部１５の弾性変形量が増加してスリット１７の幅が減少する。一方、図１０（Ｂ）のように、図１０（Ａ）の状態よりもネジ１９ｂの進み量が減ると、外側部分２３ｂによりスライド３を押圧する力が減少し、貫通孔形成部１５の弾性変形量が減少してスリット１７の幅が増加する。
【００４８】
第２実施形態では、図８のように、上述したドライバ挿入孔は、長孔５ａではない。すなわち、ドライバ挿入孔２７は、長孔５ａとは別に設けられる。
【００４９】
ドライバ挿入孔２７は、図８では、ケース５において、長孔５ａが形成される面と同じ面に形成されている。しかし、ドライバ挿入孔２７を、ケース５において、長孔５ａが形成される面と異なる面に形成してもよく、この場合、スリット１７の位置も図８の場合から変更させる。
【００５０】
第２実施形態における他の点は、上述の第１実施形態と同じである。
【００５１】
本発明は上述した実施の形態に限定されず、本発明の要旨を逸脱しない範囲で種々変更を加え得ることは勿論である。
【符号の説明】
【００５２】
３  スライド、３ａ  本体、３ｂ  操作部、３ｃ  結合部、３ｄ  貫通孔、
５  ケース、５ａ  長孔（ドライバ挿入孔）、７  出力部（電極体）、９  ガイドバー、１０  フェーダ装置、１１  抵抗体、１３  伝導性ブラシ、１５  貫通孔形成部、１５ａ  内周面、１５ｂ  外面、１６  補強部、１７  スリット、１９  スリット幅調節機構、１９ａ  ネジ孔、１９ｂ  ネジ、２１  ネジ部、２３  頭部、２３ａ  軸側部分、２３ｂ  外側部分、２５  ドライバ、２７  ドライバ挿入孔
【図１】
2012230971.tif 000003
【図２】
2012230971.tif 000004
【図３】
2012230971.tif 000005
【図４】
2012230971.tif 000006
【図５】
2012230971.tif 000007
【図６】
2012230971.tif 000008
【図７】
2012230971.tif 000009
【図８】
2012230971.tif 000010
【図９】
2012230971.tif 000011
【図１０】
2012230971.tif 000012